(57)【特許請求の範囲】
【請求項１】
設置場所に所定間隔で支柱が立設され、前記支柱に設けられる手摺取付部により手摺本体を連結固定される手摺において、
前記手摺取付部は、前記支柱の支持部に固定され、前記手摺本体の端部に貫通して設けられた孔に一致するねじ孔を有するとともに、記手摺本体の外周面と同じ曲率に形成された樋状の受け部と、
前記受け部と同じ長さかつ前記手摺本体の外周面と同じ曲率に形成され、前記受け部のねじ孔に一致して雌ねじを有するボスが固着された樋状のカバーと、
弾性材料で円筒に成型されており、両端には前記受け部と前記カバーの両端縁部を外面に露出させないための鍔が形成され、該鍔間の内寸法が前記受け部と前記カバーの長さに等しくなっているとともに、前記手摺本体の端部の孔に一致して長孔が形成されたスリーブと、から成り、
前記手摺本体は、当該端部に嵌挿された前記スリーブの鍔の内側に前記受け部を位置させて載置するとともに、前記カバーは当該ボスを前記スリーブおよび手摺本体の上方の孔に通して前記スリーブの鍔の内側の外周に添わせ、一方ねじを前記受け部の下方から前記スリーブおよび手摺本体の下方の孔に通して前記カバーのボスの雌ねじに螺合し、締め付けて前記受け部と前記カバーにより前記手摺本体の端部を前記スリーブを介在させて挟持固定することを特徴とする手摺。
【請求項２】
前記スリーブが、受け部のねじ孔とカバーのボスを通る線を境にして一方の半分には当該スリーブと同心円かつ受け部とカバーの厚みに等しい半円形の鍔が形成され、他方の半分には前記鍔に連続してスリーブ中心の半楕円形の鍔が形成されており、前記手摺取付部を連結基点として非直線的に設置される二つの前記手摺本体が成す広がりの内側に半円形の鍔、外側に半楕円形の鍔を配し、前記手摺本体が前記手摺取付部に連結固定されていることを特徴とする請求項１に記載の手摺。
【発明の詳細な説明】
【技術分野】
【０００１】
本発明は、公園の散策路・遊歩道、広場、河川敷などの公共空間、あるいは屋外構造物に設置される手摺に関し、特に、支柱に手摺本体を固定する手摺取付部が高い衝撃強度、連結強度を持った手摺に関する。
【背景技術】
【０００２】
従来から公共空間を安全に利用することを目的として、歩行者の歩行を補助するための手摺が必要に応じて設けられている。手摺は、連設される手摺本体が構造物の壁面や支柱の側面に固着された支持部に設けられる手摺取付部によって連結されているもの（特許文献１、特許文献４）、支柱の上端に設けられた手摺取付部によって連結されているもの（特許文献２、特許文献３）などが知られている。
【０００３】
特許文献１には、手摺受け金具に載置された手摺本体の突き合わせ端部の内側に、雌ねじが形成された接続部材を挿入し、手摺受け金具の下方から接続部材の雌ねじに雄ねじを締め付け、連設される手摺本体の突き合わせ端部を固定するとともに、該突き合わせ端部にカバーを設ける手摺構造が開示されている。
【０００４】
特許文献２には、挟持クランプの弾性筒部本体を弾性変形させて左右に僅かに開き、筒部本体に連設される手摺本体の端部を嵌挿したのち、挟持片をボルト及びナットにより強く締め付けて、弾性筒部本体の内径を小さくし、挟持片をブラケットに不動状態に挟持固定する手摺構造が開示されている。
【０００５】
特許文献３には、開放端に外方に向かって拡開するテーパ部が形成された手摺固定体の嵌合穴内に手摺本体の端部を嵌合し、手摺本体をテーパ部の傾斜角度の範囲内で傾斜可能とし、手摺本体の端部の貫通孔に固定ねじを貫挿し、固定ねじの突出部に袋ナットを螺合することにより、手摺固定体に手摺本体を固定する手摺構造が開示されている。
【０００６】
特許文献４には、取付基部にブラケット固定ねじで固定される手摺固定ブラケットの手摺本体受部に、連接するそれぞれの手摺本体の端部を、手摺本体固定ねじにより締結固定し、手摺本体の端部の上方よりカバーを嵌合し、カバー固定ねじによりそれぞれの手摺本体の端部に固定する手摺構造が開示されている。
【先行技術文献】
【特許文献】
【０００７】
【特許文献１】特開平１０−３０６５６６号公報
【特許文献２】特開２００２−３２２７８２号公報
【特許文献３】特開平１０−１５９３９５号公報
【特許文献４】特開２００１−２１４５９１号公報
【発明の概要】
【発明が解決しようとする課題】
【０００８】
従来の手摺取付部は、手摺本体の外周面にカバーや挟持クランプなどの連結部材が直接接触する構造であるため、手摺取付部を握ると連結部材の両端縁が指や手のひらに当たり、違和感を持つことがあった。
また、手摺本体を非直線的に設置する場合、手摺本体の中心線が手摺取付部の中心線に対して斜めに連結されるので、手摺取付部との結合力が不十分となり易く、ボルトの締め付け具合によって衝撃や連結の強度低下の要因となる。
本発明は、連設される手摺本体を直線的あるいは非直線的に設置する際に、取付け作業性に優れ、かつ手摺本体への強い衝撃荷重に対して高い連結強度の手摺取付部を備えた手摺を提供することである。
【課題を解決するための手段】
【０００９】
本発明は、設置場所に所定間隔で支柱が立設され、前記支柱に設けられる手摺取付部により手摺本体を連結固定される手摺において、
前記手摺取付部は、前記支柱の支持部に固定され、前記手摺本体の端部に貫通して設けられた孔に一致するねじ孔を有するとともに、記手摺本体の外周面と同じ曲率に形成された樋状の受け部と、
前記受け部と同じ長さかつ前記手摺本体の外周面と同じ曲率に形成され、前記受け部のねじ孔に一致して雌ねじを有するボスが固着された樋状のカバーと、
弾性材料で円筒に成型されており、両端には前記受け部と前記カバーの両端縁部を外面に露出させないための鍔が形成され、該鍔間の内寸法が前記受け部と前記カバーの長さに等しくなっているとともに、前記手摺本体の端部の孔に一致して長孔が形成されたスリーブと、から成り、
前記手摺本体は、当該端部に嵌挿された前記スリーブの鍔の内側に前記受け部を位置させて載置するとともに、前記カバーは当該ボスを前記スリーブおよび手摺本体の上方の孔に通して前記スリーブの鍔の内側の外周に添わせ、一方ねじを前記受け部の下方から前記スリーブおよび手摺本体の下方の孔に通して前記カバーのボスの雌ねじに螺合し、締め付けて前記受け部と前記カバーにより前記手摺本体の端部を前記スリーブを介在させて挟持固定することを特徴とする。
本発明は、前記スリーブが、受け部のねじ孔とカバーのボスを通る線を境にして一方の半分には当該スリーブと同心円かつ受け部とカバーの厚みに等しい半円形の鍔が形成され、他方の半分には前記鍔に連続してスリーブ中心の半楕円形の鍔が形成されており、前記手摺取付部を連結基点として非直線的に設置される二つの前記手摺本体が成す広がりの内側に半円形の鍔、外側に半楕円形の鍔を配し、前記手摺本体が前記手摺取付部に連結固定されていることを特徴とする。
【発明の効果】
【００１０】
本発明によれば、受け部とカバーの両端面にスリーブの鍔が当接しているので、スリーブの弾性によって滑りが抑えられ、確実に握ることができ、安全・安心して歩行ができる。また、カバーの両端縁部がスリーブの鍔によって外面に露出していないので、握った状態で手を滑らせても怪我をすることがない。さらに、手摺本体に強い衝撃が加わった場合には、スリーブの弾性により手摺本体への曲げ応力を吸収するため、受け部およびカバーへのダメージを最小限に抑えることができ、手摺の機能を維持することができる。更に、カバーに雌ねじ付きボスが一体化され、手摺本体と受け部とカバーの取付けを１工程によって出来るので、作業性が向上されるとともに、カバーの雌ねじ付きボスとねじが手摺本体を貫通連結されるので、高い衝撃強度および連結強度が得られる。
【図面の簡単な説明】
【００１１】
【図１】図１は、本発明の手摺の設置状態を示す正面図である。
【図２】図２は、図１のA―A矢視の側面図である。
【図３Ａ】図３Ａは、手摺取付部の正面図である。
【図３Ｂ】図３Bは、手摺取付部の側面図である。
【図４Ａ】図４Aは、手摺取付部の部分断面図である。
【図４Ｂ】図４Bは、図４ＡのB−B断面図である。
【図５Ａ】図５Aは、手摺取付部の部分断面図である。
【図５Ｂ】図５Bは、手摺取付部の構成部品の側面図である。
【図６Ａ】図６Aは、スリーブの平面図である。
【図６Ｂ】図６Bは、図６ＡのＣ−Ｃ断面図である。
【図７】図７は、手摺取付部の他の実施形態を示す部分断面図である。
【図８Ａ】図８Aは、スリーブの他の実施形態を示す平面図である。
【図８Ｂ】図８Bは、図８ＡのD−D断面図である。
【発明を実施するための形態】
【００１２】
本発明は、手摺本体の端部が、弾性材料で円筒に成型されたスリーブを嵌挿させて受け部に載置され、カバーのボスを上方からスリーブおよび手摺本体の上方の孔を通して受け部とカバーにより手摺本体の端部を挟持し、ねじを受け部の下方からスリーブおよび手摺本体の下方の孔に通し、カバーのボスに螺合して連結すること、およびスリーブの鍔が受け部とカバーの両端縁部を外面に露出させないことで実現した。
以下に、本発明の実施の態様を図面に基づいて説明する。
【００１３】
図１は、本発明の手摺の設置状態を示す正面図、図２は図１のA―A矢視の側面図、図３Ａは手摺取付部の正面図、図３Bは手摺取付部の側面図である。本実施例では、手摺本体を連結する手摺取付部が支柱の側部に設けられた手摺によって説明する。
【００１４】
手摺１は、支柱２、手摺本体３、手摺取付部４から構成されている。支柱２は、金属製パイプで構成されており、設置場所に所定間隔をおいて基礎コンクリート５により立設され、所定の高さに１または複数の支持部６が溶接等により固着される。手摺本体３は、金属製パイプで構成されており、両端部には手摺取付部に固定するための長手方向に延びた長孔３０（図４Ａ参照）が対向し、かつ上下方向に貫通して設けられている。支持部６には、手摺本体３の外周面と同じ曲率を有する樋状の受け部７のほぼ中央が固定される。カバー８は、受け部７と協働して手摺本体３の端部を挟持し、連結保持するもので、手摺本体３の外周面と同じ曲率の樋状に形成されている。スリーブ９は、手摺本体３の端部が嵌挿され、スリーブ外周に受け部７およびカバー８が配される。支柱２の上端は、キャップ１０が取り付けられる。
【００１５】
次に、手摺取付部を詳しく説明する。図４Ａは手摺取付部の部分断面図、図４Bは図４ＡのB−B断面図、図５Ａは手摺取付部を構成する部品の正面図、図５Bは手摺取付部を構成する部品の側面図、図６Ａはスリーブの平面図、図６Bは図６ＡのＣ−Ｃ断面図である。
【００１６】
受け部７は、下面の中央に取付け片７１が溶接等により固着されており、長手方向には両端から内側の所定位置に二つのねじ孔７０が形成されている。カバー８は、受け部７のねじ孔７０に対向して雌ねじが設けられたボス８０が内側に溶接等により固着されている。受け部７とカバー８の端縁のコーナー部分には、アール加工が施されており、歩行者が当該部分を握ったときエッジによる怪我を防止する。
【００１７】
スリーブ９は、ゴムなどの弾性材料で円筒に成型されており、両端には受け部７とカバー８の厚みにほぼ等しい鍔９１が形成され、この鍔９１の間の内寸法が受け部７とカバー８の長さに等しくなっている。スリーブ９には、受け部７のねじ孔７０とカバー８のボス８０に一致して長孔９０が形成されている。
【００１８】
本実施例の手摺の組み立てについて説明する。
支柱２の支持部６には、受け部７の取付け片７１を固定する。手摺本体３の両端部には、互いの孔位置を合わせるようにスリーブ９を嵌挿する。手摺本体３は、隣設する受け部７に載置し、同様に連設する手摺本体３の端部を上記スリーブ９の反対側から嵌挿し、互いの手摺本体３の端面を突き合わせる。カバー８のボス８０をスリーブ９の貫通孔９０および手摺本体３の上方の孔３０に通し、カバー８をスリーブ９の外周に添わせ、受け部７およびカバー８がスリーブ９の鍔９０の内側に位置されていることを確認した後、ねじ１１を受け部７のねじ孔７０の下方からスリーブ９の貫通孔９０および手摺本体３の下方の孔３０に通し、カバー８のボス８０の雌ねじに螺合し、締め付けて受け部７とカバー８によりスリーブ９を介在させて手摺本体３の端部を挟持し、連結固定する。同様に、順次手摺本体３を連結する。
【００１９】
本実施例の手摺の作用を説明する。
歩行者が手摺１を使用して歩行する際に、手摺取付部４を握るとカバー8の両端部分と手摺本体３との間にスリーブ９の鍔９１があるので、スリーブ９の弾性によって滑りがなく、確実に握ることができ、安全・安心して歩行ができる。また、カバー8の両端縁部がスリーブ９の鍔９１によって外面に露出していないので、握った状態で手を滑らせても怪我をすることがない。さらに、手摺本体３に大きな荷重、すなわち強い衝撃が加わった場合には、スリーブ９が無いと受け部７およびカバー８に曲げ応力が作用して当該部材を変形させたり、場合によっては手摺本体３が手摺取付部４から脱落する恐れもあるが、スリーブ９があるとスリーブ９の弾性により上記曲げ応力を吸収するとともに、カバー８の雌ねじ付きボス８０とねじ１１が手摺本体３を貫通連結され、耐衝撃性が高められているので、受け部７およびカバー８へのダメージを最小限に抑えることができ、手摺の機能を維持することができる。
【００２０】
本発明の他の実施態様を説明する。図７は、手摺取付部の他の実施形態を示す部分断面図、図８Ａはスリーブの他の実施形態を示す平面図、図８Bは図８ＡのD−D断面図である。本実施例は、手摺本体を手摺取付部において図７に示すように連結する際に用いるスリーブに関する。
【００２１】
連設される二つの手摺本体３，３が、手摺取付部４において、互いの中心線の向きが逆になって連結されて非直線的に設置される場合、手摺取付部を連結基点として、両手摺本体が成す広がりによって内側と外側が形成される。この様な設置仕様では、スリーブ９の鍔９１が受け部７およびカバー８の厚みと同じであると、外側（図７において上側）にスリーブ９の鍔９１と受け部７およびカバー８の端縁部との間に段差が生じ、前記端縁部が外面に露出するので、手摺取付部４を握ったときに違和感を持たせることになる。上記段差を無くすため、段差が生じる範囲のスリーブ９の鍔９１を段差相当分だけ大きく形成したものである。
【００２２】
スリーブ９は、図８Bに示すように対向する長孔９０、すなわち受け部７のねじ孔１１およびカバー８のボス８０を通る線を境にして一方の半分にはスリーブ９と同心円かつ受け部7とカバー８の厚みに等しい半円形の鍔９１が高さt１により形成され、他方の半分には前記鍔９１に連続してスリーブ中心の半楕円形の鍔９１が高さｔ1からt２に変化させて形成されている。ここで、ｔ１＜ｔ２である。楕円形は、短径が半円形の鍔９１の径に等しく、長径が上記段差相当分になるように設計されている。
【００２３】
本実施例の手摺取付部の組み立てについて説明する。
手摺本体３の両端部には、互いの孔位置を合わせるようにスリーブ９を嵌挿する。このとき、非直線的に設置される二つの手摺本体が成す内側に半円形の鍔９１、外側に半楕円形の鍔９１となるようにする。手摺本体３は、隣設する受け部７に載置され、同様に連設する手摺本体３の端部を上記スリーブ９の反対側から嵌挿し、非直線的に両手摺本体３，３の端面を突き合わせる。カバー８のボス８０をスリーブ９の貫通孔９０に通し、カバー８をスリーブ９の外周に添わせ、受け部７およびカバー８がスリーブ９の鍔９０の内側に位置されていることを確認した後、受け部７のねじ孔７０に下方からねじ１１を通し、カバー８のボス８０の雌ねじに螺合し、締め付けて受け部７とカバー８によりスリーブ９を介在させて手摺本体３の端部を挟持し、連結固定する。
【符号の説明】
【００２４】
１    手摺
２    支柱
３    手摺本体
４    手摺取付部
５    基礎コンクリート
６    支持部
７    受け部
８    カバー
９    スリーブ
【図１】
0005667006.tif 000002
【図２】
0005667006.tif 000003
【図３Ａ】
0005667006.tif 000004
【図３Ｂ】
0005667006.tif 000005
【図４Ａ】
0005667006.tif 000006
【図４Ｂ】
0005667006.tif 000007
【図５Ａ】
0005667006.tif 000008
【図５Ｂ】
0005667006.tif 000009
【図６Ａ】
0005667006.tif 000010
【図６Ｂ】
0005667006.tif 000011
【図７】
0005667006.tif 000012
【図８Ａ】
0005667006.tif 000013
【図８Ｂ】
0005667006.tif 000014